(57)【要約】【課題】シンボル毎に干渉電力の影響を反映させてＬＬＲを正しく算出して、周波数ホッピングＯＦＤＭ環境においてターボ符号化の効果を十分に発揮させること。【解決手段】干渉電力算出部２０８は、計算式（干渉電力＝干渉を受けていない部分の平均電力＋干渉を受けている部分の平均電力）により各シンボルの干渉電力値を計算し、その計算した干渉電力値をターボ復号化部２０９に通知する。ターボ復号化部２０９では、干渉電力算出部２０８から通知された干渉電力値に基づいて、ターボ復号のＬＬＲの計算に用いるσ２  を、計算式（σ２  ＝熱雑音＋干渉電力）で算出することにより、干渉電力算出部２０８から通知されるシンボル毎の干渉電力値に基づいてσ２  をシンボル毎に変更する。【選択図】      図４
2004304267.tif 000002
【特許請求の範囲】
【請求項１】
複数のセルから送信された周波数ホッピングＯＦＤＭ信号を受信するＯＦＤＭ受信装置において、
前記周波数ホッピングＯＦＤＭ信号の各サブキャリアからパイロット信号を抽出する抽出手段と、
前記抽出手段によって抽出したパイロット信号から干渉部分電力と非干渉部分電力を算出し、該干渉部分電力と非干渉部分電力に基づいてシンボル毎の干渉電力を算出する干渉電力算出手段と、
前記干渉電力算出手段によって算出したシンボル毎の干渉電力に基づいて、前記各サブキャリアのシンボルを復号する復号手段と、
を具備することを特徴とするＯＦＤＭ受信装置。
【請求項２】
前記復号手段は、前記シンボル毎の干渉電力に基づいて前記復号に用いる分散値を算出し、該分散値を用いて前記各サブキャリアのシンボルを復号することを特徴とする請求項１記載のＯＦＤＭ受信装置。
【請求項３】
複数のセルから送信された周波数ホッピングＯＦＤＭ信号を複数のアンテナによりダイバーシチ受信するＯＦＤＭ受信装置において、
前記各アンテナから受信した各周波数ホッピングＯＦＤＭ信号のサブキャリアからパイロット信号を抽出する抽出手段と、
前記抽出手段によって抽出したパイロット信号毎に干渉部分電力と非干渉部分電力を算出し、該干渉部分電力と非干渉部分電力に基づいてシンボル毎の干渉電力を算出する干渉電力算出手段と、
前記抽出手段によって抽出したパイロット信号毎に信号対干渉電力比を算出する電力比算出手段と、
前記電力比算出手段によって算出した前記シンボル毎の信号対干渉電力比に基づいて、前記各アンテナの受信信号の合成比を算出する合成比算出手段と、
前記干渉電力算出手段によって算出した前記シンボル毎の干渉電力と、前記合成比算出手段によって算出した各受信信号の合成比とに基づいて、前記各サブキャリアのシンボルを復号する復号手段と、
を具備することを特徴とするＯＦＤＭ受信装置。
【請求項４】
前記合成比算出手段は、前記シンボル毎の信号対干渉電力比に基づいて、前記各アンテナの受信信号の合成比を決定する重み値を算出し、
前記復号手段は、前記シンボル毎の干渉電力と、前記合成比算出手段によって算出した各受信信号の合成比を決定する重み値と、に基づいて前記復号に用いる分散値を算出し、該分散値を用いて前記各サブキャリアのシンボルを復号することを特徴とする請求項３記載のＯＦＤＭ受信装置。
【請求項５】
複数のセルから送信された周波数ホッピングＯＦＤＭ信号を受信するＯＦＤＭ受信方法において、
前記周波数ホッピングＯＦＤＭ信号の各サブキャリアからパイロット信号を抽出する抽出ステップと、
前記抽出したパイロット信号から干渉部分電力と非干渉部分電力を算出し、該干渉部分電力と非干渉部分電力に基づいてシンボル毎の干渉電力を算出する干渉電力算出ステップと、
前記算出したシンボル毎の干渉電力に基づいて、前記各サブキャリアのシンボルを復号する復号ステップと、
を有することを特徴とするＯＦＤＭ受信方法。
【請求項６】
複数のセルから送信された周波数ホッピングＯＦＤＭ信号を複数のアンテナによりダイバーシチ受信するＯＦＤＭ受信方法において、
前記各アンテナから受信した各周波数ホッピングＯＦＤＭ信号のサブキャリアからパイロット信号を抽出する抽出ステップと、
前記抽出したパイロット信号毎に干渉部分電力と非干渉部分電力を算出し、該干渉部分電力と非干渉部分電力に基づいてシンボル毎の干渉電力を算出する干渉電力算出ステップと、
前記抽出したパイロット信号毎に信号対干渉電力比を算出する電力比算出ステップと、
前記算出した前記シンボル毎の信号対干渉電力比に基づいて、前記各アンテナの受信信号の合成比を算出する合成比算出ステップと、
前記算出した前記シンボル毎の干渉電力と、前記算出した各受信信号の合成比とに基づいて、前記各サブキャリアのシンボルを復号する復号ステップと、
を有することを特徴とするＯＦＤＭ受信方法。
【発明の詳細な説明】
【０００１】
【発明の属する技術分野】
本発明は、ＯＦＤＭ信号のＯＦＤＭ受信装置及びそれらの方法に関し、特に周波数ホッピング方式のＯＦＤＭシステムに用いられるＯＦＤＭ受信装置に適用して好適なものである。
【０００２】
【従来の技術】
従来、移動体通信システムにおいて、周波数ホッピングを適用したＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が検討されている。周波数ホッピングを適用したＯＦＤＭシステムは、複数のセル間で異なるホッピングパターンを用いることにより、セル間の干渉を平均化して通信を行うようになっている。
【０００３】
周波数ホッピングＯＦＤＭ方式を含むマルチキャリア方式を使用した移動通信システムでは、送信情報の符号化にターボ符号やＬＤＰＣ（Ｌｏｗ  Ｄｅｎｓｉｔｙ  Ｐａｒｉｔｙ  Ｃｈｅｃｋ：低密度パリティ検査）符号のように、軟判定値を利用したＭＡＰ（Ｍａｘｉｍｕｍ  ａ  ｐｏｓｔｅｒｉｏｒｉ：最大事後確率）復号を前提とした符号化方式が採用されている。
【０００４】
また、ターボ符号の復号処理では、伝送路がＡＷＧＮ（Ａｄｄｉｔｉｖｅ  Ｗｈｉｔｅ  Ｇａｕｓｓｉａｎ  Ｎｏｉｓｅ  ：加法性白色ガウス雑音）環境であるものとして、以下に示す数式（１）によりＬＬＲ（Ｌｏｇ  Ｌｉｋｅｌｉｈｏｏｄ  Ｒａｔｉｏ）が導出されている（例えば、非特許文献１参照）。
【０００５】
【数１】
2004304267.tif 000003
このように、数式（１）では、１つの符号単位で、雑音の分散は一定であるものとしている。
【０００６】
また、ＣＤＭＡ（Ｃｏｄｅ  Ｄｉｖｉｓｉｏｎ  Ｍｕｌｔｉｐｌｅ  Ａｃｃｅｓｓ  ）の環境では、他セルからの干渉が逆拡散によって白色化されるため、符号語内では、干渉がほぼ一定と考えられる。このため、雑音によるシンボルの分散を表すσ２  は、σ２  ＝熱雑音＋干渉となり、１符号語内では同じと考えてもよい。
【０００７】
【非特許文献１】
松本  渉、落合  秀樹：「ＯＦＤＭ変調方式の応用」，トリケップス，ＷＳ  Ｎｏ．２１６（２００１−１０），ｐｐ．８０
【０００８】
【発明が解決しようとする課題】
しかしながら、ＣＤＭＡの環境では、他セルからの干渉が逆拡散によって白色化され、符号語内では干渉がほぼ一定と考えられるため、雑音によるシンボルの分散を表すσ２  は１符号語内では同じと考えてもよいが、周波数ホッピングを適用したＦＨ−ＯＦＤＭの環境では、干渉がランダムに発生するため、σ２  が１符号語内で一定とすると、その際のＭＡＰ復号特性が十分に得られないという問題がある。
【０００９】
ＬＬＲ値を算出する際に、熱雑音＋干渉が一定であるとすると、σ２  を一定にできるため、図８に示す算出モデルを用いて算出することは問題ない。
【００１０】
しかし、ＦＨ−ＯＦＤＭ環境でシンボル毎に干渉電力が変化する場合は、あるシンボルでは干渉電力が大きくなるため、図９に示す雑音電力が大きいときの算出モデルでＬＬＲを算出することが正しいにも関わらず、図８の算出モデルでＬＬＲを算出しているので、誤ったＬＬＲを算出して、ターボ符号化の効果を十分に発揮できないという問題があった。
【００１１】
また、他セル干渉を除去するため、干渉除去回路を受信装置に追加した場合は、シンボル毎にＭＭＳＥ（Ｍｉｎｉｍｕｍ  Ｍｅａｎ  Ｓｑｕａｒｅ  Ｅｒｒｏｒ）等の重み係数がかかるため、σ２  が１符号語内で一定とすると、干渉は除去されるが、シンボル毎に雑音電力が変化してしまうので、その際のＭＡＰ復号特性が悪くなり、ターボ符号化の効果を十分に発揮できないという問題があった。
【００１２】
本発明はかかる点に鑑みてなされたものであり、シンボル毎に干渉電力の影響を反映させてＬＬＲを正しく算出し、周波数ホッピングＯＦＤＭ環境においてターボ符号化の効果を十分に発揮させるＯＦＤＭ受信装置及びＯＦＤＭ受信方法を提供することを目的とする。
【００１３】
【課題を解決するための手段】
本発明のＯＦＤＭ受信装置は、複数のセルから送信された周波数ホッピングＯＦＤＭ信号を受信するＯＦＤＭ受信装置において、前記周波数ホッピングＯＦＤＭ信号の各サブキャリアからパイロット信号を抽出する抽出手段と、前記抽出手段によって抽出したパイロット信号から干渉部分電力と非干渉部分電力を算出し、該干渉部分電力と非干渉部分電力に基づいてシンボル毎の干渉電力を算出する干渉電力算出手段と、前記干渉電力算出手段によって算出したシンボル毎の干渉電力に基づいて、前記各サブキャリアのシンボルを復号する復号手段と、を具備する構成を採る。
【００１４】
この構成によれば、シンボル毎に干渉電力の影響を反映させてＬＬＲを正しく算出することができるため、周波数ホッピングＯＦＤＭ環境においてターボ符号化の効果を十分に発揮させることができる。
【００１５】
本発明のＯＦＤＭ受信装置は、前記復号手段は、前記シンボル毎の干渉電力に基づいて前記復号に用いる分散値を算出し、該分散値を用いて前記各サブキャリアのシンボルを復号する構成を採る。
【００１６】
この構成によれば、周波数ホッピングＯＦＤＭ環境においてシンボル毎の干渉電力の変化に応じて分散値を変更することができ、復号処理においてターボ符号を正しく復号化することができる。
【００１７】
本発明のＯＦＤＭ受信装置は、複数のセルから送信された周波数ホッピングＯＦＤＭ信号を複数のアンテナによりダイバーシチ受信するＯＦＤＭ受信装置において、前記各アンテナから受信した各周波数ホッピングＯＦＤＭ信号のサブキャリアからパイロット信号を抽出する抽出手段と、前記抽出手段によって抽出したパイロット信号毎に干渉部分電力と非干渉部分電力を算出し、該干渉部分電力と非干渉部分電力に基づいてシンボル毎の干渉電力を算出する干渉電力算出手段と、前記抽出手段によって抽出したパイロット信号毎に信号対干渉電力比を算出する電力比算出手段と、前記電力比算出手段によって算出した前記シンボル毎の信号対干渉電力比に基づいて、前記各アンテナの受信信号の合成比を算出する合成比算出手段と、前記干渉電力算出手段によって算出した前記シンボル毎の干渉電力と、前記合成比算出手段によって算出した各受信信号の合成比とに基づいて、前記各サブキャリアのシンボルを復号する復号手段と、を具備する構成を採る。
【００１８】
この構成によれば、ダイバーシチ受信したシンボル毎に干渉電力の影響を反映させてＬＬＲを正しく算出することができ、周波数ホッピングＯＦＤＭ環境のダイバーシチ受信においてもターボ符号化の効果を十分に発揮させることができる。
【００１９】
本発明のＯＦＤＭ受信装置は、前記合成比算出手段は、前記シンボル毎の信号対干渉電力比に基づいて、前記各アンテナの受信信号の合成比を決定する重み値を算出し、前記復号手段は、前記シンボル毎の干渉電力と、前記合成比算出手段によって算出した各受信信号の合成比を決定する重み値と、に基づいて前記復号に用いる分散値を算出し、該分散値を用いて前記各サブキャリアのシンボルを復号する構成を採る。
【００２０】
この構成によれば、ダイバーシチ受信したシンボル毎の干渉電力の変化に応じて分散値を変更することができ、復号処理においてターボ符号を正しく復号化することができる。
【００２１】
本発明のＯＦＤＭ受信方法は、複数のセルから送信された周波数ホッピングＯＦＤＭ信号を受信するＯＦＤＭ受信方法において、前記周波数ホッピングＯＦＤＭ信号の各サブキャリアからパイロット信号を抽出する抽出ステップと、前記抽出したパイロット信号から干渉部分電力と非干渉部分電力を算出し、該干渉部分電力と非干渉部分電力に基づいてシンボル毎の干渉電力を算出する干渉電力算出ステップと、前記算出したシンボル毎の干渉電力に基づいて、前記各サブキャリアのシンボルを復号する復号ステップと、を有するようにした。
【００２２】
この方法によれば、シンボル毎に干渉電力の影響を反映させてＬＬＲを正しく算出することができるため、周波数ホッピングＯＦＤＭ環境においてターボ符号化の効果を十分に発揮させることができる。
【００２３】
本発明のＯＦＤＭ受信方法は、複数のセルから送信された周波数ホッピングＯＦＤＭ信号を複数のアンテナによりダイバーシチ受信するＯＦＤＭ受信方法において、前記各アンテナから受信した各周波数ホッピングＯＦＤＭ信号のサブキャリアからパイロット信号を抽出する抽出ステップと、前記抽出したパイロット信号毎に干渉部分電力と非干渉部分電力を算出し、該干渉部分電力と非干渉部分電力に基づいてシンボル毎の干渉電力を算出する干渉電力算出ステップと、前記抽出したパイロット信号毎に信号対干渉電力比を算出する電力比算出ステップと、前記算出した前記シンボル毎の信号対干渉電力比に基づいて、前記各アンテナの受信信号の合成比を算出する合成比算出ステップと、前記算出した前記シンボル毎の干渉電力と、前記算出した各受信信号の合成比とに基づいて、前記各サブキャリアのシンボルを復号する復号ステップと、を有するようにした。
【００２４】
この方法によれば、ダイバーシチ受信したシンボル毎に干渉電力の影響を反映させてＬＬＲを正しく算出することができ、周波数ホッピングＯＦＤＭ環境のダイバーシチ受信においてもターボ符号化の効果を十分に発揮させることができる。
【００２５】
【発明の実施の形態】
本発明の骨子は、シンボル毎に干渉電力の影響を反映させてＬＬＲを正しく算出して、周波数ホッピングＯＦＤＭ環境においてターボ符号化の効果を十分に発揮させることである。
【００２６】
以下、本発明の実施の形態について、図面を参照して詳細に説明する。
【００２７】
（実施の形態１）
以下、本発明の実施の形態について、図面を参照して詳細に説明する。図１は、本発明の実施の形態に係る周波数ホッピングＯＦＤＭ方式対応の送信装置の構成を示すブロック図、図４は、ユーザ１に関する本実施の形態に係る周波数ホッピングＯＦＤＭ方式対応の受信装置の構成を示すブロック図である。
【００２８】
送信装置１００は、ターボ符号化部１０１−１，１０１−２、変調部１０２−１，１０２−２、サブキャリアマッピング部１０３−１，１０３−２、多重器１０４、周波数インターリーブ部１０５、シリアルパラレル（Ｓ／Ｐ）変換部１０６、逆高速フーリエ変換（ＩＦＦＴ）部１０７、ガードインターバル（ＧＩ）挿入部１０８、無線処理部１０９及びアンテナ１１０とから主に構成される。
【００２９】
ターボ符号化部１０１−１，１０１−２は、ユーザ１，ユーザ２の各送信データをターボ符号化処理してターボ符号信号をそれぞれ変調部１０２−１，１０２−２に出力する。
【００３０】
変調部１０２−１，１０２−２は、各々異なる符号変調機能を有し、例えば、ＱＡＭ系として１６ＱＡＭ（Ｑｕａｄ  Ａｍｐｌｉｔｕｄｅ  Ｍｏｄｕｌａｔｉｏｎ），６４ＱＡＭ、また、ＰＳＫ系としてＢＰＳＫ（Ｂｉｎａｒｙ  Ｐｈａｓｅ  Ｓｈｉｆｔ  Ｋｅｙｉｎｇ），ＱＰＳＫ（Ｑｕａｄ  Ｐｈａｓｅ  Ｓｈｉｆｔ  Ｋｅｙｉｎｇ），８ＰＳＫ，などといった変調方式を採用する。
【００３１】
変調部１０２−１，１０２−２は、ターボ符号化部１０１−１，１０１−２からそれぞれ入力されたターボ符号信号を、それぞれ異なる変調方式で符号変調処理して変調信号をサブキャリアマッピング部１０３−１，１０３−２に出力する。
【００３２】
サブキャリアマッピング部１０３−１，１０３−２は、予めマッピングされた複数のサブキャリアのホッピングパターンに従って、変調部１０２−１，１０２−２から入力された各変調信号にサブキャリアを割り当ててサブキャリア化し、そのサブキャリア信号をそれぞれ多重器１０４に出力する。
【００３３】
多重器１０４は、サブキャリアマッピング部１０３−１，１０３−２からそれぞれ入力されたサブキャリア信号間に、外部から入力されるパイロット系列の情報を挿入したシリアル信号に多重化して周波数インターリーブ部１０５に出力する。
【００３４】
周波数インターリーブ部１０５は、多重器１０４から入力されたシリアル信号に含まれる複数のデータ系列の配列方向が交錯するように読み出してインターリーブ信号としてＳ／Ｐ変換部１０６に出力する。
【００３５】
Ｓ／Ｐ変換部１０６は、周波数インターリーブ部１０５から入力されたインターリーブ信号を複数のデータ系列信号に並列化してＩＦＦＴ部１０７に出力する。
【００３６】
ＩＦＦＴ部１０７は、Ｓ／Ｐ変換部１０６から入力された複数のデータ系列信号の各サブキャリア成分を逆高速フーリエ変換して時間領域に変換して時間波形信号をＧＩ挿入部１０８に出力する。
【００３７】
ＧＩ挿入部１０８は、ＩＦＦＴ部１０７から入力された時間波形信号に、遅延に対する特性を改善するガードインターバルを挿入して無線処理部１０９に出力する。
【００３８】
無線処理部１０９は、ＧＩ挿入部１０８から入力された時間波形信号をＲＦ帯にアップコンバージョンしてアンテナ１１０からＯＦＤＭ信号を送信する。
【００３９】
この送信装置１００では、ユーザ１，２のユーザ数２に対応して送信データの処理が実行され、各送信データに対して符号化及び変調が行われ、その各変調信号がサブキャリアにマッピング（周波数割り当て）がなされるとともに、パイロット系列もマッピングされる。
【００４０】
このユーザ１，２データ及びパイロットデータに対するサブキャリアのマッピング結果を図２に２次元マップの模式図として示す。なお、パイロット系列信号も変調されている。
【００４１】
そして、複数のサブキャリア信号は多重化された後、その多重化信号を基に更に周波数インターリーブ処理がなされる。このインターリーブ後のサブキャリアのマッピング状態を図３に２次元マップの模式図として示す。
【００４２】
また、図４に示す受信装置２００は、アンテナ２０１、無線処理部２０２、ガードインターバル（ＧＩ）除去部２０３、高速フーリエ変換（ＦＦＴ）部２０４、周波数デインターリーブ部２０５、チャネル分離部２０６、復調部２０７、干渉電力算出部２０８及びターボ復号化部２０９とから主に構成される。
【００４３】
無線処理部２０２は、アンテナ２０１からＯＦＤＭ信号を受信してＧＩ除去部２０３に出力する。
【００４４】
ＧＩ除去部２０３は、無線処理部２０２から入力されたＯＦＤＭ信号からガードインターバルを除去してＦＦＴ部２０４に出力する。
【００４５】
ＦＦＴ部２０４は、ＧＩ除去部２０３から入力されたガードインターバル除去後のＯＦＤＭ信号を高速フーリエ変換（ＦＦＴ）して時間領域から周波数領域に変換する。このＦＦＴ部２０４により複数のサブキャリアにより伝送されたデータ系列信号が取り出されて、周波数デインターリーブ部２０５に出力される。
【００４６】
周波数デインターリーブ部２０５は、ＦＦＴ部２０４から入力された複数のデータ系列信号を、送信装置１００においてインターリーブされる際の逆の配列方向で読み出して、元のシリアル配置のデータ系列を含むシリアル信号に戻してチャネル分離部２０６に出力する。
【００４７】
チャネル分離部２０６は、周波数デインターリーブ部２０５から入力された複数のサブキャリア信号を含むシリアル信号を、各サブキャリア信号に分離してユーザ１信号に関して復調部２０７と干渉電力算出部２０８に出力する。
【００４８】
復調部２０７は、チャネル分離部２０６から入力された各サブキャリア信号をそれぞれ復調してターボ復号化部２０９に出力する。
【００４９】
干渉電力算出部２０８は、チャネル分離部２０６から入力された各サブキャリア信号に対する干渉信号の影響を判定するため、送信装置１００において適用された変調方式（ＱＡＭ方式又はＰＳＫ方式）に応じて、シンボル毎に干渉電力を計算し、その計算した干渉電力値をターボ復号化部２０９に出力する。
【００５０】
ターボ復号化部２０９は、干渉電力算出部２０８から入力されたシンボル毎の干渉電力値に基づいて、復調部２０７から入力された各サブキャリア信号のシンボルのＬＬＲ値を算出する。
【００５１】
本実施の形態では、ターボ復号化部２０９がターボ復号処理する際のＬＬＲの計算において、σ２  の値をシンボル毎に変更するために、干渉電力算出部２０８は、シンボル毎に干渉電力をターボ復号化部２０９に報告する必要がある。
【００５２】
以下、受信装置２００内の干渉電力算出部２０８における干渉電力計算方法について説明する。
【００５３】
例えば、全ての信号がＱＰＳＫ方式で変調されて通信が行われていたとすると、干渉を受けたパイロット部分の電力と、干渉を受けていないパイロット部分の電力とを測定することにより、干渉電力を計算することができる。
【００５４】
説明を簡単にするために、セル間同期システムにおいて２セルだけの環境を想定し、それぞれのセルにユーザが存在する環境において、自セル（ユーザ１）と他セル（ユーザ２又はパイロット）におけるサブキャリアの割り当て例を図５に示す。
【００５５】
この図５では、周波数方向はコヒーレント帯域内にあり、自セルからの信号電力も他セルからの信号電力もこの中では変化がないと仮定する。
【００５６】
また、このとき、自セルのユーザ１とパイロットが干渉を受けているか否かの干渉状態の一例を図６に示す。図６において、０は干渉を受けていないことを示し、１は隣接セルからの干渉を受けていることを示す。
【００５７】
以上のような環境において、パイロット部分で干渉を受けている電力部分と、データ部分で干渉を受けている電力部分の平均受信電力を計算すると、以下の計算方法で算出することができる。
【００５８】
干渉を受けている部分の平均電力＝信号電力＋干渉電力＋雑音電力
また、パイロット部分で干渉を受けていない電力部分とデータ部分で干渉を受けていない電力部分を計算すると、以下の計算方法で算出することができる。
【００５９】
干渉を受けていない部分の平均電力＝信号電力＋雑音電力
以上の干渉を受けている電力部分の平均受信電力を計算と、干渉を受けていない部分の平均電力の計算とにより干渉電力は以下の計算方法で算出することができる。
【００６０】
干渉電力＝干渉を受けていない部分の平均電力＋干渉を受けている部分の平均電力
したがって、干渉電力算出部２０８は、上記計算式により各シンボルの干渉電力値を計算し、その計算した干渉電力値をターボ復号化部２０９に通知する。
【００６１】
ターボ復号化部２０９では、干渉電力算出部２０８から通知された干渉電力値に基づいて、ターボ復号のＬＬＲの計算に用いるσ２  を、以下の計算方法で算出する。
【００６２】
σ２  ＝熱雑音＋干渉電力
したがって、ターボ復号化部２０９では、この計算式に示したとおり、干渉電力算出部２０８から通知されるシンボル毎の干渉電力値に基づいて、σ２  をシンボル毎に変更することができる。
【００６３】
このように、本実施の形態の受信装置２００によれば、シンボル毎に干渉電力の影響を反映させてＬＬＲを正しく算出することができ、周波数ホッピングＯＦＤＭ環境においてターボ符号化の効果を十分に発揮させることができる。
【００６４】
（実施の形態２）
実施の形態１では、シンボル毎に算出した干渉電力値によりσ２  をシンボル毎に変更してＬＬＲを算出したが、本実施の形態では、シンボル毎に異なる干渉電力に応じて算出した重み係数によりシンボル毎にσ２  をシンボル毎に変更してＬＬＲを算出する。
【００６５】
本実施の形態では、図１に示した送信装置１００から送信されるＯＦＤＭ信号を、図７に示す２つのアンテナでダイバーシチ受信を行う受信装置３００において受信する場合を説明する。
【００６６】
受信装置３００は、アンテナ３０１，３０２、無線処理部３０３，３０４、ガードインターバル（ＧＩ）除去部３０５，３０６、高速フーリエ変換（ＦＦＴ）部３０７，３０８、周波数デインターリーブ部３０９，３１０、チャネル分離部３１１，３１２、干渉電力算出部３１３，３１４、ＳＩＮＲ算出部３１５，３１６、ＭＲＣ合成部３１７、復調部３１８及びターボ復号化部３１９とから主に構成される。
【００６７】
受信装置３００において、アンテナ３０１，３０２、無線処理部３０３，３０４、ガードインターバル（ＧＩ）除去部３０５，３０６、高速フーリエ変換（ＦＦＴ）部３０７，３０８、周波数デインターリーブ部３０９，３１０及びチャネル分離部３１１，３１２の各構成は、図４に示した受信装置２００のアンテナ２０１、無線処理部２０２、ガードインターバル（ＧＩ）除去部２０３、高速フーリエ変換（ＦＦＴ）部２０４、周波数デインターリーブ部２０５及びチャネル分離部２０６と同一の構成を２系統設けたものであるため、これらの構成説明は省略する。
【００６８】
干渉電力算出部３１３，３１４は、チャネル分離部３１１，３１２から入力された各サブキャリア信号に対する干渉信号の影響を判定するため、送信装置１００において適用された変調方式（ＱＡＭ方式又はＰＳＫ方式）に応じて、シンボル毎に干渉電力を上記干渉電力算出部２０８と同様の計算方法で計算し、その計算した干渉電力値をＭＲＣ合成部３１７に出力する。
【００６９】
ＳＩＮＲ（信号対干渉電力比）算出部３１５，３１６は、チャネル分離部３１１，３１２から入力された各サブキャリア信号に対するＳＩＮＲを計算し、その計算したＳＩＮＲ値をＭＲＣ合成部３１７に出力する。
【００７０】
アンテナ３０１及びアンテナ３０２では、それぞれ受信信号に含まれる干渉電力の大きさは異なるものと考えられるため、ＳＩＮＲ算出部３１５，３１６では、以下に示す計算方法によりＳＩＮＲを算出する。
【００７１】
まず、ＳＩＮＲ算出部３１５，３１６は、以下の計算式を用いて信号電力（Ｓ）を算出する。
【００７２】
信号電力（Ｓ）＝干渉を受けていない平均電力−熱雑音
次に、ＳＩＮＲ算出部３１５，３１６は、計算した信号電力（Ｓ）を用いて以下の計算式でＳＩＮＲを算出する。
【００７３】
ＳＩＮＲ＝信号電力／（干渉電力＋熱雑音）
そして、ＳＩＮＲ算出部３１５，３１６は、算出した各ＳＩＮＲをターボ復号化部３１９に出力する。
【００７４】
ＭＲＣ（Ｍａｘｉｍｕｍ  Ｒａｔｉｏ  Ｃｏｍｂｉｎｉｎｇ  ）合成部３１７は、各アンテナ３０１，３０２から受信されてチャネル分離部３１１，３１２により分離されて入力された各サブキャリア信号を合成する際の各合成比を決定する重み係数Ｗ＿１，Ｗ＿２を、ＳＩＮＲ算出部３１５，３１６から入力されたアンテナ３０１，３０２の各ＳＩＮＲ値を用いて以下の計算方法により算出する。
【００７５】
なお、以下の計算では、ＳＩＮＲ算出部３１５，３１６から算出されたアンテナ３０１，３０２の各ＳＩＮＲの大きさをＳＩＮＲ＿１，ＳＩＮＲ＿２（実数値）としてＷ＿１，Ｗ＿２を算出する。
【００７６】
Ｗ＿１＝ＳＩＮＲ＿１／（ＳＩＮＲ＿１＋ＳＩＮＲ＿２）    （実数）
Ｗ＿２＝ＳＩＮＲ＿２／（ＳＩＮＲ＿１＋ＳＩＮＲ＿２）    （実数）
実際には、干渉が有るセルと、干渉が無いセルが存在するため、その干渉の有無によってＷの大きさは変化する（干渉と信号の大きさは、注目しているコヒーレント時間内、コヒーレント帯域では同じと仮定している）。
【００７７】
そして、ＭＲＣ合成部３１７は、算出したＷ＿１，Ｗ＿２を用いて、チャネル分離部３１１，３１２から入力された各サブキャリア信号を合成し、その合成サブキャリア信号を復調部３１８に出力する。
【００７８】
復調部３１８は、ＭＲＣ合成部３１７から入力された合成サブキャリア信号を復調してターボ復号化部３１９に出力する。
【００７９】
ターボ復号化部３１９は、干渉電力算出部３１３，３１４から入力されたシンボル毎の各干渉電力値に基づいて、復調部３１８から入力された合成サブキャリア信号のシンボルのＬＬＲ値を算出する。
【００８０】
ターボ復号化部３１９では、干渉電力算出部３１３，３１４から入力された各干渉電力値に基づいて、ターボ復号のＬＬＲの計算に用いるσ２  を、以下の計算方法で算出する。
【００８１】
ここで、アンテナ３０１，３０２における干渉電力の大きさをＩ＿１，Ｉ＿２、熱雑音を等しいと考えて、この熱雑音電力がＮであるものとすると、ＬＬＲの計算に用いるσ２  は、以下のような計算をシンボル毎に行う。
【００８２】
σ２  ＝Ｗ＿１（Ｉ＿１＋Ｎ）＋Ｗ＿２（Ｉ＿２＋Ｎ）
したがって、ターボ復号化部３１９では、この計算式に示したとおり、干渉電力算出部３１３，３１４からそれぞれ通知されるシンボル毎の干渉電力値に基づいて、σ２  をシンボル毎に変更することができるとともに、σ２  の算出時にダイバーシチ受信の重み係数を反映することができる。
【００８３】
このように、本実施の形態の受信装置３００によれば、ダイバーシチ受信したシンボル毎に干渉電力の影響を反映させてＬＬＲを正しく算出することができ、周波数ホッピングＯＦＤＭ環境のダイバーシチ受信においてもターボ符号化の効果を十分に発揮させることができる。
【００８４】
なお、本実施の形態では、ＭＲＣを例示して説明したが、干渉除去等の重み付け計算を行う際には、σ２  の計算において上記のような換算が必要となる。
【００８５】
【発明の効果】
以上説明したように、本発明によれば、シンボル毎に干渉電力の影響を反映させてＬＬＲを正しく算出することができ、周波数ホッピングＯＦＤＭ環境においてターボ符号化の効果を十分に発揮させることができる。
【図面の簡単な説明】
【図１】本実施の形態１に係る送信装置の構成を示すブロック図
【図２】本実施の形態１に係るサブキャリアのマッピング結果を示す２次元マップの模式図
【図３】本実施の形態１に係るインターリーブ後のサブキャリアのマッピング状態を示す２次元マップの模式図
【図４】本実施の形態１に係る受信装置の構成を示すブロック図
【図５】本実施の形態１に係る自セルと他セルにおけるサブキャリアの割り当て例を示す図
【図６】本実施の形態１に係る自セルの干渉状態の一例を示す図
【図７】本実施の形態２に係る受信装置の構成を示すブロック図
【図８】従来のＬＬＲ値の算出モデルを示す図
【図９】従来の雑音が大きいときのＬＬＲ値の算出モデルを示す図
【符号の説明】
１００  送信装置
１０１−１、１０１−２  ターボ符号化部
１０２−１、１０２−２  変調部
１０３−１、１０３−２  サブキャリアマッピング部
１０４  多重器
１０５  周波数インターリーブ部
１０６  シリアル／パラレル変換部
１０７  逆高速フーリエ変換部
１０８  ガードインターバル挿入部
１０９  無線処理部
１１０  アンテナ
２００、３００  受信装置
２０１、３０１、３０２  アンテナ
２０２、３０３、３０４  無線処理部
２０３、３０５、３０６  ガードインターバル除去部
２０４、３０７、３０８  高速フーリエ変換部
２０５、３０９、３１０  周波数デインターリーブ部
２０６、３１１、３１２  チャネル分離部
２０７、３１８  復調部
２０８、３１３、３１４  干渉電力算出部
２０９、３１９  ターボ復号化部
３１５、３１６  ＳＩＮＲ算出部
３１７  ＭＲＣ合成部
【図１】
2004304267.tif 000004
【図２】
2004304267.tif 000005
【図３】
2004304267.tif 000006
【図４】
2004304267.tif 000007
【図５】
2004304267.tif 000008
【図６】
2004304267.tif 000009
【図７】
2004304267.tif 000010
【図８】
2004304267.tif 000011
【図９】
2004304267.tif 000012